(57)【特許請求の範囲】
【請求項１】
読み込み元から画像データを読み込む読み込み部と、
前記画像データから撮影情報を取得する撮影情報取得部と、
前記撮影情報が特定の情報を含むか否かを判定する判定部と、
前記画像データにより表現される画像中の人物領域を検出する検出部と、
前記撮影情報が前記特定の情報を含むと判定された場合に、前記人物領域に第１の補正が行われ前記画像中の前記人物領域以外の領域に前記第１の補正と異なる第２の補正が行われるように前記画像データの処理を行い処理済画像データを得る処理部と、
前記処理済画像データにより表現される画像をプリントするプリンタと、
を備え、
前記画像データは、撮影者の側とは反対の側を撮像する第１の撮像部および撮影者の側を撮像する第２の撮像部を備える撮像装置において前記第１の撮像部または前記第２の撮像部により撮像を行うことにより生成され、
前記撮影情報は、前記第２の撮像部により撮像を行うことにより前記画像データが生成された場合に前記第２の撮像部により撮像が行われたことを示す識別情報を含み、
前記特定の情報は、前記識別情報である
プリントシステム。
【請求項２】
前記第１の補正は、第１の補正テーブルを用いた色補正を含み、
前記第２の補正は、前記第１の補正テーブルと異なる第２の補正テーブルを用いた色補正を含む
請求項１のプリントシステム。
【請求項３】
前記第１の補正は、鮮鋭度を高くする補正を含み、
前記第２の補正は、鮮鋭度を低くする補正を含む
請求項１または２のプリントシステム。
【請求項４】
前記第１の補正は、輝度を高くする補正をさらに含む
請求項３のプリントシステム。
【請求項５】
前記画像に既に補正が行われている場合に、既に補正が行われていることを示す補正情報が前記画像データに付加され、
前記画像データから前記補正情報を取得する補正情報取得部
をさらに備え、
前記処理部は、前記補正情報が取得された場合に、前記処理を行わない
請求項１から４までのいずれかのプリントシステム。
【請求項６】
人物を登録する登録部と、
前記人物領域に写っている人物が登録された人物と一致するか否かを判定する一致判定部と、
をさらに備え、
前記処理部は、前記人物領域に写っている人物が登録された人物と一致すると判定された場合に、前記人物領域に写っている人物に応じて前記第１の補正を変化させる
請求項１から５までのいずれかのプリントシステム。
【請求項７】
環境温度情報、及び顔画像に写っている人物の体温情報の少なくとも一方である温度情報を取得する温度情報取得部
をさらに備え、
前記処理部は、前記温度情報に応じて前記第１の補正を変化させる
請求項１から６までのいずれかのプリントシステム。
【発明の詳細な説明】
【技術分野】
【０００１】
本発明は、読み込んだ画像データにより表現される画像をプリントするプリントシステムに関する。
【背景技術】
【０００２】
携帯電話機能を有するスマートフォン、無線通信機能を有するタブレット等の情報端末の多くは、デジタルカメラ機能を有し、高画質の写真を撮影することができる。このため、スマートフォン、タブレット等の情報端末の普及に伴って、撮影された写真をプリントする需要が増えている。
【０００３】
当該需要に応じるため、持ち運びが可能なメモリカードから画像データを読み込み読み込んだ画像データにより表現される画像をプリントできるプリントシステムが普及している。スマートフォン、タブレット等の情報端末から無線通信により画像データを直接的に読み込み読み込んだ画像データにより表現される画像をプリントできるプリントシステムも普及している。
【０００４】
最近では、スマートフォンの画面を見ながらスマートフォンに備えられるサブカメラを用いて撮影者自身を撮影する「自撮り」が流行している。自撮りを行った撮影者は、自撮りした写真を友人または知人に紹介し当該写真に対するコメントを友人または知人から得るために、当該写真をソーシャルネットワークシステム（ＳＮＳ）にアップロードして掲載することが多い。しかし、写真情報から個人情報が漏洩する危険性があるため、写真をアップロードせずプリントする場合も増えている。
【０００５】
特許文献１に記載された技術においては、被写体を撮影するメインカメラおよび撮影者を撮影するサブカメラという２系統のカメラがある場合に、サブカメラによる撮影画像から撮影者の顔の色が検出され、検出された撮影者の顔の色から光源の色温度が推定され、推定された色温度に基づいてメインカメラによる撮影画像のホワイトバランス補正がなされる。
【０００６】
特許文献２に記載された技術においては、プリントシステムが各画像の用途に適した画像補正を行う。
【先行技術文献】
【特許文献】
【０００７】
【特許文献１】特開２０１３−２０７７２１号公報
【特許文献２】特開２００５−１７６２３０号公報
【発明の概要】
【発明が解決しようとする課題】
【０００８】
従来のプリントシステムにおいては、プリントシステムに搭載されている情報処理装置により画像を補正する処理が画像データに行われる。しかし、当該補正は、撮像に用いられたカメラ、撮像により得られた画像中の領域等によらず一律である。色補正に用いられる補正テーブルがユーザの操作により切り替えられる場合はあるが、撮像に用いられたカメラ、撮像により得られた画像中の領域等によらず補正は一律である。
【０００９】
サブカメラにより「自撮り」が行われる場合は、撮影者を撮影することが一番の目的であるため、撮影により得られた画像中の人物領域の品位を良好にすることが期待される。
【００１０】
また、スマートフォンにおいては、サブカメラにより撮像が行われる場合の撮影条件がメインカメラにより撮像が行われる場合の撮影条件と異なる。例えば、サブカメラにより撮像が行われる場合の解像度は、メインカメラにより撮像が行われる場合の解像度より低い。また、サブカメラは照明機能を有しないのに対して、メインカメラは照明機能を有する。このため、同じスマートフォンにより撮影が行われた場合であっても、サブカメラにより撮像を行うことにより得られる画像に行われる補正は、メインカメラにより撮像を行うことにより得られる画像に行われる補正と異なるものである必要がある。
【００１１】
これらの問題は、スマートフォン以外により撮影が行われる場合にも生じる。
【００１２】
本発明は、これらの問題を解決するためになされる。
【００１３】
本発明が解決しようとする課題は、読み込まれた画像データから人物領域の品位が良好なプリント出力物を得ることである。
【００１４】
また、本発明が望ましくは解決しようとする課題は、撮影者の側とは反対の側を撮像する第１の撮像部および撮影者の側を撮像する第２の撮像部を備える撮像装置において第２の撮像部により撮像を行うことにより生成される画像データにより表現される画像のプリントが行われる場合に、人物領域の品位が良好なプリント出力物を得ることである。
【課題を解決するための手段】
【００１５】
本発明は、プリントシステムに関する。本発明においては、読み込み元から画像データが読み込まれる。読み込まれた画像データから撮影情報が取得される。撮影情報が特定の情報を含むか否かが判定される。画像データにより表現される画像中の人物領域が検出される。撮影情報が特定の情報を含むと判定された場合に、人物領域に第１の補正が行われ画像中の人物領域以外の領域に第２の補正が行われるように画像データが処理され、処理済画像データが得られる。第２の補正は、第１の補正と異なる。処理済画像データにより表現される画像がプリンタによりプリントされる。
【００１６】
本発明の望ましい態様においては、撮影者の側とは反対の側を撮像する第１の撮像部および撮影者の側を撮像する第２の撮像部を備える撮像装置において第１の撮像部または第２の撮像部により撮像を行うことにより画像データが生成される。撮影情報は、第２の撮像部により撮像を行うことにより画像データが生成された場合に第２の撮像部により撮像が行われたことを示す識別情報を含む。上記の特定の情報は、当該識別情報である。
【発明の効果】
【００１７】
本発明によれば、読み込まれた画像データにより表現される画像中の人物領域に行われる補正を当該画像中の人物領域以外の領域に行われる補正と異ならせることができるので、読み込まれた画像データから人物領域の品位が良好なプリント出力物が得られる。
【００１８】
本発明の望ましい態様によれば、撮影者の側とは反対の側を撮像する第１の撮像部および撮影者の側を撮像する第２の撮像部を備える撮像装置において第２の撮像部により撮像を行うことにより生成される画像データにより表現される画像のプリントが行われる場合に、人物領域の品位が良好なプリント出力物が得られる。
【図面の簡単な説明】
【００１９】
【図１】実施の形態１のプリントシステムを示す模式図である。
【図２】実施の形態１のプリントシステムを示すブロック図である。
【図３】実施の形態１のプリントシステムのプリント動作を示すフローチャートである。
【図４】補正前の画像の例を示す図である。
【図５】補正後の画像の例を示す図である。
【図６】実施の形態２のプリントシステムを示すブロック図である。
【図７】実施の形態３のプリントシステムを示すブロック図である。
【図８】実施の形態４のプリントシステムを示すブロック図である。
【発明を実施するための形態】
【００２０】
１  実施の形態１
１．１  プリントシステム
図１は、実施の形態１のプリントシステムを示す模式図である。
【００２１】
図１に示されるプリントシステム１０００は、メモリカード読み取り部１０２２、無線通信インターフェース（ＩＦ）１０２４、パーソナルコンピュータ（ＰＣ）１０２６、画面１０２８、課金器１０３０、プリンタ１０３２および筐体１０３４を備える。プリントシステム１０００がこれらの構成物以外の構成物を備えてもよい。プリントシステム１０００がこれらの構成物の一部を備えない場合もある。
【００２２】
プリントシステム１０００は、店頭受付機、店頭セルフ端末等とも呼ばれ、プリントラボ、コンビニエンスストア等の店頭に設置される。プリントシステム１０００がプリントラボ、コンビニエンスストア等の店頭以外に設置されてもよい。
【００２３】
プリントシステム１０００は、読み込み元から画像データを読み込み、読み込んだ画像データにより表現される画像をプリントする。
【００２４】
読み込み元がデジタルカメラ等により撮影された画像を表現する画像データが記憶されたメモリカードである場合は、画像データの読み込みにおいて、メモリカードがメモリカード読み取り部１０２２に挿入され、挿入されたメモリカードに記憶された画像データがメモリカード読み取り部１０２２により読み取られる。
【００２５】
読み込み元がスマートフォン１０８２である場合は、画像データの読み込みにおいて、スマートフォン１０８２が無線通信ＩＦ１０２４に無線接続され、無線接続されたスマートフォン１０８２に記憶された画像データが無線通信ＩＦ１０２４により読み取られる。無線通信は、ＷｉＦｉ等により行われる。有線通信ＩＦが設けられ、スマートフォン１０８２が有線通信ＩＦに有線接続され、有線接続されたスマートフォン１０８２に記憶された画像データが有線通信ＩＦにより読み取られてもよい。
【００２６】
メモリカードおよびスマートフォン１０８２の片方が読み込み元から除外されてもよい。メモリカード以外の記憶メディアが読み込み元であってもよい。例えば、ユニバーサルシリアルバス（ＵＳＢ）メモリー、コンパクトディスク（ＣＤ）、デジタル多目的ディスク（ＤＶＤ）または外付けハードディスクドライブが読み込み元であってもよい。スマートフォン１０８２以外の情報端末が読み込み元であってもよい。例えば、タブレットまたはオーディオプレーヤーが読み込み元であってもよい。
【００２７】
ＰＣ１０２６は、プログラムを実行し、プログラムにしたがってプリントシステム１０００の構成物を制御し、画像データを処理する。ＰＣ１０２６が担う処理の全部または一部がコンピュータでないハードウェアにより担われてもよい。
【００２８】
画面１０２８は、画像データにより表現される画像を表示し、操作を受け付ける。画面１０２８は、液晶パネルとタッチパネルとが一体化されたタッチパネルディスプレイである。液晶パネルが他の種類の表示機構に置き換えられてもよい。例えば、液晶パネルが陰極線管（ＣＲＴ）に置き換えられてもよい。タッチパネルが他の種類の操作検出機構に置き換えられてもよい。例えば、タッチパネルが液晶パネルと一体化されていないキーボードおよびマウスに置き換えられてもよい。タッチパネルは、望ましくはマルチタッチに対応する。
【００２９】
プリンタ１０３２は、画像データにより表現される画像をプリントする。プリンタ１０３２は、昇華型の熱転写プリンタである。プリンタ１０３２が昇華型の熱転写プリンタ以外のプリンタであってもよい。例えば、プリンタ１０３２がインクジェットプリンタであってもよい。プリンタ１０３２により画像がプリントされた写真用紙は、筐体１０３４に形成された取り出し口１０６２に排出され、取り出し口１０６２から取り出すことができる。
【００３０】
課金器１０３０は、プリント料金を決済する。プリントシステム１０００が無料でサービスを提供する場合は、課金器１０３０が省略されてもよい。課金器１０３０が他の種類の決済機構に変更されてもよい。例えば、課金器１０３０がクレジットカードまたは電子マネーの決済端末に置き換えられてもよい。
【００３１】
１．２  スマートフォンにより撮影された画像のプリント
スマートフォン１０８２は、メインカメラおよびサブカメラを備え、デジタルカメラ機能を有する。メインカメラは、アウトカメラ、バックカメラ等とも呼ばれ、操作画面の側とは反対の側にあり、撮影者の側とは反対の側を撮像する撮像部を構成する。サブカメラは、インカメラ、フロントカメラ等とも呼ばれ、操作画面の側にあり、撮影者の側を撮像する撮像部を構成する。サブカメラは、いわゆる自撮りに用いられることが多い。
【００３２】
スマートフォン１０８２を保有するユーザ１０８４は、スマートフォン１０８２により撮影された画像のプリントを希望する場合は、メインカメラまたはサブカメラにより撮像を行うことにより生成された画像データをメモリカードに保存し、メモリカードに保存された画像データをメモリカード読み取り部１０２２に読み取らせる。または、ユーザ１０８４は、スマートフォン１０８２に保存された画像データを無線通信ＩＦ１０２４に直接的に読み取らせる。
【００３３】
ユーザ１０８４は、スマートフォン１０８２以外のデジタルカメラ機能を有する情報端末、デジタルカメラ等により撮影された画像のプリントを希望する場合も、同様の手順を実行する。
【００３４】
より一般的には、ユーザ１０８４は、撮影者の側とは反対の側を撮像する第１の撮像部および撮影者の側を撮像する第２の撮像部を備える撮像装置において第１の撮像部または第２の撮像部により撮像を行うことにより生成された画像データをメモリカード読み取り部１０２２または無線通信ＩＦ１０２４に読み取らせる。
【００３５】
１．３  プリントシステムの画像処理系
図２は、実施の形態１のプリントシステムを示すブロック図である。
【００３６】
プリントシステム１０００に備えられる画像処理系１１０２は、図２に示されるように、読み込み制御部１１２２、撮影情報取得部１１２４、判定部１１２６、検出部１１２８および処理部１１３０を備える。
【００３７】
画像処理系１１０２は、ＰＣ１０２６がプログラムを実行しプログラムにしたがって動作することにより実現される。
【００３８】
読み込み制御部１１２２は、メモリカード読み取り部１０２２および無線通信ＩＦ１０２４の各々を制御し、メモリカード読み取り部１０２２および無線通信ＩＦ１０２４の各々に画像データ１１４２を読み取らせる。これにより、メモリカード読み取り部１０２２および無線通信ＩＦ１０２４は、読み込み元から画像データ１１４２を読み込む読み込み部を構成する。
【００３９】
撮影情報取得部１１２４は、読み込まれた画像データ１１４２を認識し、読み込まれた画像データ１１４２から撮影情報を取得する。画像データ１１４２がスマートフォン１０８２により撮影を行うことにより生成されたものである場合は、取得される撮影情報には、メインカメラにより撮像が行われたことを示す識別情報またはサブカメラにより撮像が行われたことを示す識別情報が含まれる。メインカメラにより撮像が行われたことを示す識別情報およびサブカメラにより撮像が行われたことを示す識別情報は、カメラの種別判定に用いられる。取得される撮影情報に、カメラの種別判定に用いられる情報以外の情報が含まれてもよい。例えば、撮影時のスマートフォン１０８２の角度、撮影場所、撮影日時、撮影時間等が含まれてもよい。カメラの種別判定に用いられる情報は、エクスチェンジャブル・イメージ・ファイル・フォーマット（Ｅｘｉｆ）等のメタデータから取得される。メタデータ以外から取得された撮影情報がカメラの種別判定に用いられる情報として利用されてもよい。例えば、画素情報等の画像データ本体から得られる情報がカメラの種別判定に用いられる情報として利用されてもよい。
【００４０】
判定部１１２６は、取得された撮影情報がサブカメラにより撮像が行われたことを示す識別情報等の特定の情報を含むか否かを判定する。
【００４１】
検出部１１２８は、読み込まれた画像データ１１４２により表現される画像中の人物領域を検出する。人物領域は、人物が写っている領域である。
【００４２】
処理部１１３０は、読み込まれた画像データ１１４２を処理し、処理済画像データを得る。処理部１１３０は、取得された撮影情報がサブカメラにより撮像が行われたことを示す識別情報を含むと判定された場合に、検出された人物領域に人物領域に適した補正が行われ検出された人物領域以外の領域に人物領域以外の領域に適した補正が行われるように読み込まれた画像データを処理する。人物領域以外の領域に適した補正は、人物領域に適した補正と異なる場合もある。
【００４３】
プリンタ１０３２は、得られた処理済画像データにより表現される画像をプリントする。これにより、プリント出力物１１４４が出力される。
【００４４】
１．４  プリントシステムのプリント動作
図３は、実施の形態１のプリントシステムのプリント動作を示すフローチャートである。
【００４５】
図３に示されるステップＳ１０１においては、スマートフォン１０８２により撮影を行うことにより生成された画像データ１１４２が、ユーザ１０８４により送信され、送信された画像データ１１４２が、読み込み制御部１１２２により制御される無線通信ＩＦ１０２４により受信される。これにより、画像データ１１４２がプリントシステム１０００に読み込まれる。
【００４６】
ステップＳ１０１に続くステップＳ１０２においては、撮影情報取得部１１２４が、読み込まれた画像データ１１４２から撮影情報を取得する。
【００４７】
ステップＳ１０２に続くステップＳ１０３においては、判定部１１２６が、取得された撮影情報がサブカメラにより撮像が行われたことを示す識別情報を含むか否かを判定する。
【００４８】
判定部１１２６は、取得された撮影情報がサブカメラにより撮像が行われたことを示す識別情報を含み、読み込まれた画像データ１１４２がサブカメラにより撮像が行われることにより生成されたものである場合は、処理をステップＳ１０４に進める。判定部１１２６は、取得された撮影情報がメインカメラにより撮像が行われたことを示す識別情報を含み、画像データ１１４２がメインカメラにより撮像が行われることにより生成されたものである場合は、処理をステップＳ１０８に進める。
【００４９】
ステップＳ１０４においては、検出部１１２８が、読み込まれた画像データ１１４２により表現される画像に写っている被写体を特定し、読み込まれた画像データ１１４２により表現される画像から顔画像を抽出する。これにより、顔画像を含む顔領域が検出される。顔画像の抽出は、顔の目立つ要素の相対関係、顔の目立つ要素の各々の大きさ等に基づいて行われる。顔の目立つ要素には、目、鼻、口等がある。顔画像の抽出において、例えば特開２００９−１５７７６６号公報に記載された顔認識技術が利用されてもよい。顔領域以外の人物領域が検出されてもよい。例えば、人物全体の画像が抽出され、人物全体の画像を含む人物領域が検出されてもよい。
【００５０】
ステップＳ１０４に続くステップＳ１０５においては、処理部１１３０が、抽出された顔画像に含まれる肌色成分を抽出する。
【００５１】
ステップＳ１０５に続くステップＳ１０６においては、処理部１１３０が、肌色用の補正テーブルを用いて抽出された肌色成分に色補正を行う。これにより、顔領域に色補正が行われる。色補正においては、肌色成分を構成する階調値の組が他の階調値の組に変換される。肌色用の補正テーブルは、プリントシステム１０００に保持されており、肌色成分を綺麗に見せることができる色変換特性を定義する。肌色用の補正テーブルが、自撮りをよく行う女子高生または女子大生を対象とした主観評価において高い評価が得られたものであってもよい。肌色用の補正テーブルが、ユーザ１０８４により書き換え可能であってもよい。肌色用の補正テーブルが書き換え可能である場合は、プリントシステム１０００が使用される環境および時期が変化した場合に肌色用の補正テーブルを書き換えることによりニーズの変化に対応できる。
【００５２】
ステップＳ１０６に続くステップＳ１０７においては、処理部１１３０が、通常の補正テーブルを用いて顔画像以外の画像に色補正を行う。これにより、顔領域に行われる色補正に用いられる補正テーブルと異なる補正テーブルを用いて顔領域以外の領域に色補正が行われる。
【００５３】
ステップＳ１０４からＳ１０７までにより、処理済画像データが得られる。
【００５４】
望ましくは、ステップＳ１０６において顔画像に先鋭度を高くする補正が行われ、ステップＳ１０７において顔画像以外の画像に先鋭度を低くする補正が行われる。例えば、ステップＳ１０６において顔画像の輪郭部分に強いシャープネス処理が行われ、ステップＳ１０７において背景画像のような顔画像以外の画像にぼかし処理が行われる。これにより、顔画像の輪郭部分が細く見え、顔画像だけが綺麗に見える。ただし、望ましくは、顔画像の肌部分にはシャープネス処理が行われずぼかし処理が行われる。これにより、しみ、そばかす、傷痕等が隠される。
【００５５】
ステップＳ１０６において顔画像に輝度を高くする補正が行われてもよい。
【００５６】
これらの補正以外のユーザ１０８４のニーズに合わせた補正が行われてもよい。
【００５７】
ステップＳ１０８においては、処理部１１３０が、通常の補正テーブルを用いて、読み込まれた画像データ１１４２により表現される画像に色補正を行う。これにより、処理済画像データが得られる。
【００５８】
ステップＳ１０９においては、プリンタ１０３２が、ステップＳ１０４からＳ１０７までまたはステップＳ１０８により得られた処理済画像データにより表現される画像をプリントする。これにより、プリント出力物１１４４が出力される。
【００５９】
１．５  補正の効果
図４は、補正前の画像の例を示す図である。図５は、補正後の画像の例を示す図である。
【００６０】
図４に示される補正前の画像１１６２は、サブカメラにより撮像を行うことにより生成されたがステップＳ１０４からＳ１０７までの処理が行われていない画像データにより表現される画像である。図５に示される補正後の画像１２０２は、サブカメラにより撮像を行うことにより生成されステップＳ１０４からＳ１０７までの処理が行われた画像データにより表現される画像である。
【００６１】
補正前の画像１１６２には、にきび、しみ等１１８４がそのまま記録され、背景１１８８が撮影されたそのままの状態で記録されている。
【００６２】
これに対して、補正後の画像１２０２には、にきび、しみ等１１８４が記録されていない。これにより、肌が綺麗に見える。また、補正後の画像１２０２に記録された顔１２２２の輪郭部分１２２６は、補正前の画像１１６２に記録された顔１１８２の輪郭部分１１８６よりくっきりしており、補正後の画像１２０２に記録された背景１２２８は、補正前の画像１１６２に記録された背景１１８８よりぼけている。このように顔の鮮鋭度と背景の鮮鋭度とに差をつけることにより、顔が綺麗に見える。これらにより、顔領域の品位が良好なプリント出力物１１４４が出力される。
【００６３】
実施の形態１によれば、画像データ１１４２がメインカメラおよびサブカメラを備えるスマートフォンにおいてサブカメラにより撮像を行うことにより生成された場合に、顔領域に行われる補正を顔領域以外の領域に行われる補正と異ならせることができるので、プリント出力物１１４４において顔領域の品位が良好になる。
【００６４】
２  実施の形態２
図６は、実施の形態２のプリントシステムを示すブロック図である。
【００６５】
図６に示されるプリントシステム２０００に備えられる画像処理系２１０２は、読み込み制御部２１２２、撮影情報取得部２１２４、判定部２１２６、検出部２１２８、処理部２１３０および補正情報取得部２１３２を備える。
【００６６】
画像処理系２１０２は、実施の形態１のプリントシステム１０００に備えられる画像処理系１１０２を置き換えており、読み込み制御部２１２２、撮影情報取得部２１２４、判定部２１２６および検出部２１２８は、それぞれ画像処理系１１０２に備えられる読み込み制御部１１２２、撮影情報取得部１１２４、判定部１１２６および検出部１１２８と同様のものである。
【００６７】
実施の形態２においては、読み込まれた画像データ２１４２により表現される画像に既に補正が行われている場合に、既に補正が行われていることを示す補正情報が画像データ２１４２に付加される。補正は、スマートフォンにインストールされたアプリケーションにより行われたものであってもよいし、ＰＣにインストールされたアプリケーションにより行われたものであってもよい。補正情報は、Ｅｘｉｆ等のメタデータに付加される。
【００６８】
補正情報取得部２１３２は、読み込まれた画像データ２１４２から補正情報を取得する。
【００６９】
処理部２１３０は、画像処理系１１０２に備えられる処理部１１３０と同様の処理を画像データ２１４２に行うことができるが、補正情報が取得された場合には、画像データ２１４２がサブカメラにより撮像を行うことにより生成されたものであっても、ステップＳ１０４からＳ１０７までの処理を行わない。
【００７０】
実施の形態２によれば、実施の形態１と同様に、画像データ２１４２がメインカメラおよびサブカメラを備えるスマートフォンにおいてサブカメラにより撮像を行うことにより生成された場合に、顔領域に行われる補正を顔領域以外の領域に行われる補正と異ならせることができるので、プリント出力物２１４４において顔領域の品位が良好になる。
【００７１】
加えて、実施の形態２によれば、ユーザが撮影された画像を補正した後に画像データ２１４２が読み込まれた場合は、読み込まれた画像データ２１４２により表現される画像がそのままプリントされるように処理が切り替えられ、読み込まれた画像データ２１４２により表現される画像にさらなる補正が行われない。これにより、ユーザが撮影された画像を補正した場合に画像の過補正が回避され、プリント出力物２１４４が自然なものになる。
【００７２】
３  実施の形態３
図７は、実施の形態３のプリントシステムを示すブロック図である。
【００７３】
図７に示されるプリントシステム３０００に備えられる画像処理系３１０２は、読み込み制御部３１２２、撮影情報取得部３１２４、判定部３１２６、検出部３１２８、処理部３１３０、登録部３１３４および一致判定部３１３６を備える。
【００７４】
画像処理系３１０２は、実施の形態１のプリントシステム１０００に備えられる画像処理系１１０２を置き換えており、読み込み制御部３１２２、撮影情報取得部３１２４、判定部３１２６および検出部３１２８は、それぞれ画像処理系１１０２に備えられる読み込み制御部１１２２、撮影情報取得部１１２４、判定部１１２６および検出部１１２８と同様のものである。
【００７５】
登録部３１３４は、ユーザその他の人物の情報である人物情報３１４６を取得し、人物情報３１４６を取得した人物を登録する。
【００７６】
一致判定部３１３６は、顔画像に写っている人物が登録された人物と一致するか否かを判定する。
【００７７】
処理部３１３０は、画像処理系１１０２に備えられる処理部１１３０と同様の処理を画像データ３１４２に行うことができるが、顔画像に写っている人物が登録された人物と一致すると判定された場合に、顔画像に行われる補正を顔画像に写っている人物に応じて変化させる。
【００７８】
例えば、画像データ３１４２により表現される画像に男女のカップルが写っている場合に顔認識等により認識された男性が登録された人物と一致すると判定されたときは、男性の顔画像には肌を綺麗に見せる補正、目をくっきり見せる補正等が行われない。逆に、女性の顔画像には、肌を綺麗に見せる補正、目をくっきり見せる補正等が行われる。
【００７９】
また、画像データ３１４２により表現される画像に色黒の女性および色白の女性が写っている場合に認識された色黒の女性が登録された人物と一致すると判定されたときは、色黒の女性の顔画像には色黒の女性に適したホワイトバランスの補正が行われ、色白の女性の顔画像には色白の女性に適したホワイトバランスの補正が行われるようにされてもよい。
【００８０】
この他、画像データ３１４２により表現される画像に年齢が離れた人物が写っている場合は、高齢の人物の顔画像にはしわ消しの補正が行われ、高齢でない人物の画像にはしわ消しの補正が行われないようにされてもよい。
【００８１】
また、画像データ３１４２により表現される画像に人種が互いに異なる人物が写っている場合は、白人の顔画像には美白補正が行われないまたは弱い美白補正が行われるようにされてもよい。
【００８２】
実施の形態３によれば、実施の形態１と同様に、画像データ３１４２がメインカメラおよびサブカメラを備えるスマートフォンにおいてサブカメラにより撮像を行うことにより生成された場合に、顔領域に行われる補正を顔領域以外の領域に行われる補正と異ならせることができるので、プリント出力物３１４４において顔領域の品位が良好になる。
【００８３】
加えて、実施の形態３によれば、人物に応じて人物の顔画像に行われる補正が自動的に切り替えられ、人物に応じた補正が人物の顔画像に行われる。これにより、ユーザの好みに合わせた補正が行われる。また、画像データ３１４２により表現される画像にふたり以上の人物が写っている場合においても、補正を行いたい顔画像に対してのみ補正を行うことができる。
【００８４】
４  実施の形態４
図８は、実施の形態４のプリントシステムを示すブロック図である。
【００８５】
図８に示されるプリントシステム４０００に備えられる画像処理系４１０２は、読み込み制御部４１２２、撮影情報取得部４１２４、判定部４１２６、検出部４１２８、処理部４１３０および温度情報取得部４１３８を備える。
【００８６】
画像処理系４１０２は、実施の形態１のプリントシステム１０００に備えられる画像処理系１１０２を置き換えており、読み込み制御部４１２２、撮影情報取得部４１２４、判定部４１２６および検出部４１２８は、それぞれ画像処理系１１０２に備えられる読み込み制御部１１２２、撮影情報取得部１１２４、判定部１１２６および検出部１１２８と同様のものである。
【００８７】
温度情報取得部４１３８は、環境温度情報、顔画像に写っている人物の体温情報等の温度情報４１４８を取得する。体温情報は、サーモグラフィ等により取得される。
【００８８】
処理部４１３０は、実施の形態１のプリントシステム１０００に備えられる処理部１１３０と同様の処理を画像データ４１４２に行うことができるが、取得された温度情報４１４８に応じて顔画像に行う補正を変化させる。例えば、取得された人物の体温情報により示される温度と取得された環境温度情報により示される温度との差が通常の場合より大きくなるほど取得された人物の体温が低い場合は、唇および頬の赤みを増し肌の青みを減らす補正が顔画像に行われる。
【００８９】
実施の形態４によれば、実施の形態１と同様に、画像データ４１４２がメインカメラおよびサブカメラを備えるスマートフォンにおいてサブカメラにより撮像を行うことにより生成された場合に、顔領域に行われる補正を顔領域以外の領域に行われる補正と異ならせることができるので、プリント出力物４１４４において顔領域の品位が良好になる。
【００９０】
加えて、実施の形態４によれば、健康的に見えない青ざめた色が健康的に見える色に変換され、人物が健康的に見えるプリント出力物４１４４が得られる。
【００９１】
なお、本発明は、その発明の範囲内において、各実施の形態を自由に組み合わせたり、各実施の形態を適宜、変形、省略することが可能である。
【符号の説明】
【００９２】
１０００，２０００，３０００，４０００  プリントシステム、１０２２  メモリカード読み取り部、１０２４  無線通信ＩＦ、１０２６  ＰＣ、１０３２  プリンタ、１０８２  スマートフォン、１０８４  ユーザ、１１０２，２１０２，３１０２，４１０２  画像処理系、１１６２  補正前の画像、１１８４  ニキビ、シミ等、１１８６  輪郭部分、１１８８  背景、１２０２  補正後の画像、１２２６  輪郭部分、１２２８  背景。
【図１】
0006664271.tif 000002
【図２】
0006664271.tif 000003
【図３】
0006664271.tif 000004
【図４】
0006664271.tif 000005
【図５】
0006664271.tif 000006
【図６】
0006664271.tif 000007
【図７】
0006664271.tif 000008
【図８】
0006664271.tif 000009